(57)【要約】【課題】常時動作する電源の電圧を利用して、他の電源を起動可能とすること。【解決手段】スイッチング電源１は、メイン電源２と、常時動作し、且つ、メイン電源２に駆動用の電源電圧および電力を供給するスタンバイ電源３と、マイクロコンピューターと、を備える。マイクロコンピューターは、メイン電源２を起動する場合、スタンバイ電源３に接続される負荷量を増加させることで、スタンバイ電源３を、間欠発振するバーストモードから、通常モードに移行させる。【選択図】図１
2020043743.tif 000002
【特許請求の範囲】
【請求項１】
第１電源と、
常時動作し、且つ、前記第１電源に電源電圧および電力を供給する第２電源と、
制御部と、を備え、
前記制御部は、前記第１電源を起動する場合、前記第２電源からの電力供給量を増加させることを特徴とする電源装置。
【請求項２】
第１電源と、
常時動作し、且つ、前記第１電源に電源電圧および電力を供給する第２電源と、
制御部と、を備え、
前記制御部は、前記第１電源を起動する場合、前記第２電源からの電力供給時間を増加させることを特徴とする電源装置。
【請求項３】
第１電源と、
常時動作し、且つ、前記第１電源に電源電圧および電力を供給する第２電源と、
制御部と、を備え、
前記制御部は、前記第１電源を起動する場合、前記第２電源からの電力供給を安定させることを特徴とする電源装置。
【請求項４】
第１電源と、
常時動作し、且つ、前記第１電源に電源電圧および電力を供給する第２電源と、
制御部と、を備え、
前記制御部は、前記第１電源を起動する場合、前記第２電源の出力インピーダンスを下げることを特徴とする電源装置。
【請求項５】
第１電源と、
常時動作し、且つ、前記第１電源に電源電圧および電力を供給する第２電源と、
制御部と、を備え、
前記制御部は、前記第１電源を起動する場合、前記第２電源のスイッチングのオン時間を増加させることを特徴とする電源装置。
【請求項６】
第１電源と、
常時動作し、且つ、前記第１電源に電源電圧および電力を供給する第２電源と、
制御部と、を備え、
前記第２電源は、間欠発振するバーストモードと、通常モードと、を有し、前記第１電源が起動していない場合、バーストモードであり、
前記制御部は、前記第１電源を起動する場合、前記第２電源を、前記バーストモードから前記通常モードに移行させることを特徴とする電源装置。
【請求項７】
前記制御部は、前記第１電源を起動する場合、前記第２電源に接続される負荷量を増加させることを特徴とする請求項１〜６のいずれか１項に記載の電源装置。
【請求項８】
前記制御部は、前記第２電源に接続されている負荷以外の別負荷を、前記第２電源に接続することを特徴とする請求項７に記載の電源装置。
【請求項９】
前記別負荷を、前記第２電源に接続するための第１スイッチをさらに備えることを特徴とする請求項８に記載の電源装置。
【請求項１０】
前記第１スイッチは、ｐｎｐ型のバイポーラトランジスタであり、
前記制御部は、前記別負荷を前記第２電源に接続する場合、前記バイポーラトランジスタのベースの電位をローとすることを特徴とする請求項９に記載の電源装置。
【請求項１１】
前記第１電源は、
一次巻線に供給する電力をスイッチングするスイッチング素子と、
前記スイッチング素子のスイッチングを制御する制御回路と、を有し、
前記第２電源からの電源電圧は、前記制御回路に供給されることを特徴とする請求項１〜１０のいずれか１項に記載の電源装置。
【請求項１２】
前記第２電源からの電源電圧は、前記第１電源の一次側の補助巻線からの電圧が整流され、前記第１電源に供給されることを特徴とする請求項１〜１１のいずれか１項に記載の電源装置。
【請求項１３】
前記第１電源の補助巻線と、前記制御回路と、の間に接続された第２スイッチをさらに備えることを特徴とする請求項１〜１２のいずれか１項に記載の電源装置。
【請求項１４】
前記制御部からの前記第２スイッチへの制御信号を遅延する遅延回路をさらに備えることを特徴とする請求項１３に記載の電源装置。
【請求項１５】
前記第１電源と、前記制御部と、の間に接続されたフォトカプラをさらに備え、
前記制御部は、前記フォトカプラの発光ダイオードに電流を発生させ、
前記フォトカプラのフォトトランジスタは、前記遅延回路に接続されていることを特徴とする請求項１４に記載の電源装置。
【請求項１６】
前記第２スイッチは、ｐｎｐ型のバイポーラトランジスタであり、
前記第２スイッチのベースは、前記遅延回路を介して、前記フォトトランジスタに接続されていることを特徴とする請求項１５に記載の電源装置。
【発明の詳細な説明】
【技術分野】
【０００１】
本発明は、電源装置に関する。
【背景技術】
【０００２】
増幅装置等に電力を供給する電源装置において、複数のＡＣ／ＤＣ変換電源回路（例えば、スイッチング電源）を有するものがある。このような電源装置は、例えば、常時動作するスタンバイ電源（サブ電源）と、電源を供給する装置がオンする場合に動作するメイン電源と、を備える場合がある（例えば、特許文献１参照。）。スタンバイ電源は、メイン電源よりも消費電力が低い。従来、スタンバイ電源の一次側の制御ＩＣ駆動用の電源電圧（ＶＤＤｓｕｂ）を、メイン電源側の制御ＩＣ駆動用の電源と共用している。
【先行技術文献】
【特許文献】
【０００３】
【特許文献１】特開２０１４−０５４０４０号公報
【発明の概要】
【発明が解決しようとする課題】
【０００４】
ここで、スタンバイ電源の容量を小さく、且つ、待機時の消費電力をかなり低くした場合、メイン電源の消費電力をＶＤＤｓｕｂでまかなえず、上記と同様の方式を取ることができない。上記同様の方式を取ろうとした場合、ＶＤＤｓｕｂは、メイン電源の制御ＩＣの起動に対し、電力供給能力が不足し、メイン電源の起動不良、及び、スタンバイ電源の予期せぬ停止を生じた。
【０００５】
本発明の目的は、常時動作する電源の電圧および電力を利用して、他の電源を起動可能とすることである。
【課題を解決するための手段】
【０００６】
第１の発明の電源装置は、第１電源と、常時動作し、且つ、前記第１電源に電源電圧および電力を供給する第２電源と、制御部と、を備え、前記制御部は、前記第１電源を起動する場合、前記第２電源からの電力供給量を増加させることを特徴とする。
【０００７】
本発明では、制御部は、第１電源を起動する場合、第２電源からの電力供給量を増加させる。これにより、第１電源の起動時に、第１電源で消費される電力による電圧降下が抑制され、第１電源の起動失敗、及び、第２電源の予期せぬ停止が防止される。このため、第２電源からの電源電圧および電力を用いて、第１電源を起動させることができる。
【０００８】
第２の発明の電源装置は、第１電源と、常時動作し、且つ、前記第１電源に電源電圧および電力を供給する第２電源と、制御部と、を備え、前記制御部は、前記第１電源を起動する場合、前記第２電源からの電力供給時間を増加させることを特徴とする。
【０００９】
本発明では、制御部は、第１電源を起動する場合、第２電源からの電力供給時間を増加させる。これにより、第１電源の起動時に、第１電源で消費される電力による電圧降下が抑制され、第１電源の起動失敗、及び、第２電源の予期せぬ停止が防止される。このため、第２電源からの電源電圧および電力を用いて、第１電源を起動させることができる。
【００１０】
第３の発明の電源装置は、第１電源と、常時動作し、且つ、前記第１電源に電源電圧および電力を供給する第２電源と、制御部と、を備え、前記制御部は、前記第１電源を起動する場合、前記第２電源からの電力供給を安定させることを特徴とする。
【００１１】
本発明では、制御部は、第１電源を起動する場合、第２電源からの電力供給を安定させる。これにより、第１電源の起動時に、第１電源で消費される電力による電圧降下が抑制され、第１電源の起動失敗、及び、第２電源の予期せぬ停止が防止される。このため、第２電源からの電源電圧および電力を用いて、第１電源を起動させることができる。
【００１２】
第４の発明の電源装置は、第１電源と、常時動作し、且つ、前記第１電源に電源電圧および電力を供給する第２電源と、制御部と、を備え、前記制御部は、前記第１電源を起動する場合、前記第２電源の出力インピーダンスを下げることを特徴とする。
【００１３】
本発明では、制御部は、第１電源を起動する場合、第２電源の出力インピーダンスを下げる。これにより、第１電源の起動時に、第１電源で消費される電力による電圧降下が抑制され、第１電源の起動失敗、及び、第２電源の予期せぬ停止が防止される。このため、第２電源からの電源電圧および電力を用いて、第１電源を起動させることができる。
【００１４】
第５の発明の電源装置は、第１電源と、常時動作し、且つ、前記第１電源に電源電圧および電力を供給する第２電源と、制御部と、を備え、前記制御部は、前記第１電源を起動する場合、前記第２電源のスイッチングのオン時間を増加させることを特徴とする。
【００１５】
本発明では、制御部は、第１電源を起動する場合、第２電源のスイッチングのオン時間を増加させる。これにより、第１電源の起動時に、第１電源で消費される電力による電圧降下が抑制され、第１電源の起動失敗、及び、第２電源の予期せぬ停止が防止される。このため、第２電源からの電源電圧および電力を用いて、第１電源を起動させることができる。
【００１６】
第６の発明の電源装置は、第１電源と、常時動作し、且つ、前記第１電源に電源電圧および電力を供給する第２電源と、制御部と、を備え、前記第２電源は、間欠発振するバーストモードと、通常モードと、を有し、前記第１電源が起動していない場合、バーストモードであり、前記制御部は、前記第１電源を起動する場合、前記第２電源を、前記バーストモードから前記通常モードに移行させることを特徴とする。
【００１７】
本発明では、制御部は、第１電源を起動する場合、第２電源を、バーストモードから通常モードに移行させる。これにより、第１電源の起動時に、第１電源で消費される電力による電圧降下が抑制され、第１電源の起動失敗、及び、第２電源の予期せぬ停止が防止される。このため、第２電源からの電源電圧および電力を用いて、第１電源を起動させることができる。
【００１８】
第７の発明の電源装置は、第１〜第６のいずれかの発明の電源装置において、前記制御部は、前記第１電源を起動する場合、前記第２電源に接続される負荷量を増加させることを特徴とする。
【００１９】
第８の発明の電源装置は、第７の発明の電源装置において、前記制御部は、前記第２電源に接続されている負荷以外の別負荷を、前記第２電源に接続することを特徴とする。
【００２０】
第９の発明の電源装置は、第８の発明の電源装置において、前記別負荷を、前記第２電源に接続するための第１スイッチをさらに備えることを特徴とする。
【００２１】
第１０の発明の電源装置は、第９の発明の電源装置において、前記第１スイッチは、ｐｎｐ型のバイポーラトランジスタであり、前記制御部は、前記別負荷を前記第２電源に接続する場合、前記バイポーラトランジスタのベースの電位をローとすることを特徴とする。
【００２２】
第１１の発明の電源装置は、第１〜第１０のいずれかの発明の電源装置において、前記第１電源は、一次巻線に供給する電力をスイッチングするスイッチング素子と、前記スイッチング素子のスイッチングを制御する制御回路と、を有し、前記第２電源からの電源電圧および電力は、前記制御回路に供給されることを特徴とする。
【００２３】
第１２の発明の電源装置は、第１〜第１１のいずれかの発明の電源装置において、前記第２電源からの電源電圧および電力には、前記第１電源の一次側の補助巻線から整流された電圧および電力が加算され、前記第１電源に供給されることを特徴とする。
【００２４】
前記第１電源の一次側の補助巻線から整流された電圧は、前記第２電源からの電圧よりも大きく、前記第１電源の動作中は、前記第２電源からの電圧および電力は、前記第１電源に供給されなくなることを特徴とする。
【００２５】
第１３の発明の電源装置は、第１〜第１２のいずれかの発明の電源装置において、前記第１電源の補助巻線と、前記制御回路と、の間に接続された第２スイッチをさらに備えることを特徴とする。
【００２６】
第１４の発明の電源装置は、第１３の発明の電源装置において、前記制御部からの前記第２スイッチへの制御信号を遅延する遅延回路をさらに備えることを特徴とする。
【００２７】
第１５の発明の電源装置は、第１４の発明の電源装置において、前記第１電源と、前記制御部と、の間に接続されたフォトカプラをさらに備え、前記制御部は、前記フォトカプラの発光ダイオードに電流を発生させ、前記フォトカプラのフォトトランジスタは、前記遅延回路に接続されていることを特徴とする。
【００２８】
第１６の発明の電源装置は、第１５の発明の電源装置において、前記第２スイッチは、ｐｎｐ型のバイポーラトランジスタであり、前記第２スイッチのベースは、前記遅延回路を介して、前記フォトトランジスタに接続されていることを特徴とする。
【発明の効果】
【００２９】
本発明によれば、常時動作する電源の電圧を利用して、他の電源を起動することができる。
【図面の簡単な説明】
【００３０】
【図１】本発明の実施形態に係るスイッチング電源の回路構成を示す図である。
【発明を実施するための形態】
【００３１】
以下、本発明の実施形態について説明する。図１は、本発明の実施形態に係るスイッチング電源の回路構成を示す図である。スイッチング電源１（電源装置）は、メイン電源２（第１電源）と、スタンバイ電源３（第２電源）と、を備える。スタンバイ電源３は、常時動作している。メイン電源２は、装置のパワーオン時に起動する。
【００３２】
メイン電源２は、整流回路と、平滑素子２１と、スイッチング素子２２と、制御ＩＣ２３と、トランスＴ１と、整流回路２４と、平滑素子２５と、シャントレギュレーター２６と、フォトカプラ２７と、を備える。メイン電源２の二次側には、負荷が接続されている。
【００３３】
整流回路（不図示）は、交流電源から入力される交流電圧を整流する。平滑素子２１は、整流回路が整流した電圧を平滑する。平滑された電圧は、トランスＴ１の一次巻線Ｔ１１を介して、スイッチング素子２２に供給される。制御ＩＣ２３（制御回路）は、スイッチング素子２２を制御する。スイッチング素子２２は、制御ＩＣ２３により制御され、任意の周波数でスイッチングすることにより、任意の周波数の交流電圧（電流）をトランスＴ１の一次巻線Ｔ１１に供給する。スイッチング素子２２は、例えば、ｎ型のＭＯＳＦＥＴである。トランスＴ１は、一次巻線Ｔ１１に供給された電圧をもとに電力伝送し、変圧して二次巻線Ｔ１２から出力する。整流回路２４は、二次巻線Ｔ１２からの交流電圧を整流する。平滑素子２５は、整流回路２４が整流した電圧を平滑する。平滑素子２５が平滑した電圧が、メイン電源２の出力電圧である。
【００３４】
シャントレギュレーター２６は、メイン電源２の二次側でフォトカプラ２７に接続されている。また、シャントレギュレーター２６は、メイン電源２の出力電圧に応じて、フォトカプラ２７に流れる電流を変化させる。フォトカプラ２７は、発光ダイオードと、フォトトランジスタと、を有する。発光ダイオードのアノードには、メイン電源２の出力電圧が供給される。発光ダイオードのカソードは、シャントレギュレーター２６に接続されている。フォトトランジスタのコレクタは、制御ＩＣ２３のフィードバック端子ＦＢに接続されている。フォトトランジスタのエミッタは、グラウンドに接続されている。制御ＩＣ２３は、フォトカプラ２７にメイン電源２の一次側で接続されている。
【００３５】
シャントレギュレーター２６は、リファレンス端子に入力される、メイン電源２の出力電圧の分圧に応じて、カソードの吸い込み電流が増減する。シャントレギュレーター２６は、リファレンス端子の電圧があるしきい値を超えると、カソードの吸い込み電流が発生する。また、シャントレギュレーター２６は、リファレンス端子の電圧がしきい値を下回ると、カソードの吸い込み電流が停止する。
【００３６】
フォトカプラ２７においては、シャントレギュレーター２６の吸い込み電流に応じて、発光ダイオードの電流がパルス状に発生する。これにより、フォトトランジスタの電流もパルス状に発生し、制御ＩＣ２３のフィードバック端子ＦＢの電圧を変化させる。ここで、制御ＩＣ２３のフィードバック端子ＦＢには、平滑用のコンデンサと、制御ＩＣ２３内で電源端子ＶＤＤから供給される定電流源が接続されている。このため、フォトトランジスタの電流パルスが増加するほど、フィードバック端子ＦＢの電圧は、減少する。制御ＩＣ２３は、フィードバック端子ＦＢの電圧に応じて、スイッチング素子２２によるオン／オフのデューティーを変化させて、メイン電源２の出力電圧を調整する。フォトカプラ２７は、メイン電源２の一次側と二次側とを絶縁している。
【００３７】
制御ＩＣ２３の電源端子ＶＤＤは、バイポーラトランジスタＱ２等を介して、トランスＴ１の補助巻線Ｔ１３に接続されている。メイン電源２の起動後、制御ＩＣ２３は、補助巻線Ｔ１３から出力された電圧が、整流、及び、平滑された電源電圧ＶＤＤｍａｉｎによって動作する。ダイオードＤ１及び抵抗Ｒ１は、補助巻線Ｔ１３から出力された電圧を整流する。コンデンサＣ１、Ｃ２（以下、これらを「メイン電源部」という。）は、ダイオードＤ１及び抵抗Ｒ１によって整流された電圧を平滑する。
【００３８】
スタンバイ電源３は、整流回路と、平滑素子３１、制御ＩＣ３２と、トランスＴ２と、整流素子３３と、平滑素子３４と、を備える。スタンバイ電源３の二次側には負荷が接続されている。
【００３９】
整流回路（不図示）は、交流電源から入力される交流電圧を整流する。平滑素子３１は、整流回路が整流した電圧を平滑する。平滑された電圧は、トランスＴ２の一次巻線Ｔ２１を介して、制御ＩＣ３２内部のスイッチング素子に供給される。制御ＩＣ３２は、内部のスイッチング素子を制御する。スイッチング素子は、制御ＩＣ３２により制御され、任意の周波数でスイッチングすることにより、任意の周波数の交流電圧（電流）をトランスＴ２の一次巻線Ｔ２１供給する。トランス２は、一次巻線Ｔ２１に供給された電圧をもとに電力伝送し、変圧して二次巻線Ｔ２２から出力する。整流素子３３は、二次巻線Ｔ２２からの交流電圧を整流する。平滑素子３４は、整流素子３３が整流した電圧を平滑する。平滑回路３４が平滑した電圧が、スタンバイ電源３の出力電圧である。
【００４０】
制御ＩＣ３２の電源端子ＶＤＤは、トランスＴ２の補助巻線Ｔ２３に接続されている。制御ＩＣ３２は、補助巻線Ｔ２３から出力された電圧が、整流、及び、平滑された電源電圧ＶＤＤｓｕｂによって動作する。ダイオードＤ２及び抵抗Ｒ２は、補助巻線Ｔ２３から出力された電圧を整流する。コンデンサＣ３、Ｃ４（以下、これらを「サブ電源部」という。）は、ダイオードＤ２及び抵抗Ｒ２によって整流された電圧を平滑する。また、電源電圧ＶＤＤｓｕｂは、メイン電源２の制御ＩＣ２３にも供給される。電源電圧ＶＤＤｓｕｂは、ダイオードＤ３及び抵抗Ｒ３（以下、これらを「電源供給経路」という。）により整流され、制御ＩＣ２３にも供給される。
【００４１】
スイッチング電源１は、スイッチング電源１を構成する各部を制御するマイクロコンピューター（制御部）（付図示）をさらに備える。マイクロコンピューターは、装置のパワーオン時、メイン電源２を起動するため、スタンバイ電源３に接続される負荷量を増加させる。ここで、スタンバイ電源３には、スタンバイ電源３に接続されている負荷以外の別負荷Ｒ４を接続するためのバイポーラトランジスタＱ１（第１スイッチ）が設けられている。バイポーラトランジスタＱ１は、ｐｎｐ型のバイポーラトランジスタである。マイクロコンピューターは、別負荷Ｒ４をスタンバイ電源３に接続する場合、バイポーラトランジスタＱ１のベースの電位をローとする（オン／オフ制御信号をローにプルダウンする。）。これにより、バイポーラトランジスタＱ１がオンし、スタンバイ電源３に別負荷Ｒ４が接続される。
【００４２】
スタンバイ電源３は、スタンバイ時、間欠発振するバーストモードで動作している。バーストモードでは、デューティー比がオフ側に広がることから、電源（ＶＤＤｓｕｂ）に対する電力供給時間が短いために、等価的に負荷、及び、制御ＩＣ駆動電源（一次側電源）の出力インピーダンスが高い状態になる。スタンバイ電源３において、二次側の負荷量が増加する（負荷が重くなる）と、電力を供給しようとして、スタンバイ電源３（制御ＩＣ３２）は、スイッチング周波数やデューティーを上げ、オン時間が多くなることで、電源電圧ＶＤＤｓｕｂに対して、電力供給する時間が増え、等価的に出力インピーダンスを下げる働きをする。すなわち、スタンバイ電源３において、二次側の負荷量が増えると、スタンバイ電源３（制御ＩＣ３２）は、バーストモードから、一定の固定周波数を有する動作モード（通常モード）に移行し、スタンバイ電源３の出力インピーダンスが下がる。このように、マイクロコンピューターは、スタンバイ電源３の負荷量を増加させることで、スタンバイ電源３をバーストモードから通常モードに移行させる。
【００４３】
上述のように、スタンバイ電源３の負荷量が増加すると、スイッチングのオン時間が増える。言い換えれば、マイクロコンピューターは、スタンバイ電源３のスイッチングのオン時間を増加させることで、出力インピーダンスを下げ、電力供給時間を増加させ、電力供給能力を増加させ、電力供給を安定させている。これにより、メイン電源２の起動時に、メイン電源２で消費される電力による電圧降下が抑制され、メイン電源２の起動失敗、及び、スタンバイ電源３の予期せぬ停止が防止される。このため、スタンバイ電源３からの電源電圧ＶＤＤｓｕｂを用いて、メイン電源２を起動させることができる。
【００４４】
メイン電源２において、補助巻線Ｔ１３と、制御ＩＣ２３の電源端子ＶＤＤと、の間には、バイポーラトランジスタＱ２（第２スイッチ）が接続されている。バイポーラトランジスタＱ２は、ｐｎｐ型のバイポーラトランジスタである。バイポートランジスタＱ２のベースは、抵抗Ｒ５を介して、フォトカプラ４を構成するフォトトランジスタのコレクタに接続されている。バイポーラトランジスタＱ２のコレクタは、制御ＩＣ２３の電源端子ＶＤＤに接続されている。バイポーラトランジスタＱ２のエミッタとベースとの間には、コンデンサＣ５が接続されている。コンデンサＣ５と抵抗Ｒ５とは、ローパスフィルターを構成し、遅延回路として機能する。この遅延回路により、制御回路23への電力供給の前に、確実にＶＤＤｓｕｂの出力インピーダンスを下げることを実現する。
【００４５】
メイン電源２の一次側（バイポーラトランジスタＱ２）と、二次側に配置されたマイクロコンピューターと、の間には、フォトカプラ４が接続されている。フォトカプラ４は、発光ダイオードと、フォトトランジスタと、を有する絶縁素子である。発光ダイオードのアノードは、抵抗を介してスタンバイ電源3の二次側出力に接続されておいる。発光ダイオードのカソードは、マイクロコンピューターによる制御端子に接続されている。フォトトランジスタのコレクタは、バイポーラトランジスタＱ２のベースに接続されている。フォトトランジスタのエミッタは、一次側回路のGNDに接続されている。
【００４６】
（スタンバイ状態）
スタンバイ状態では、メイン電源２は、動作しておらず、スタンバイ電源３のみ動作している。消費電力は、小さく、スタンバイ電源３は、バーストモード（低消費電力モード）である。このとき、サブ電源部から、電源供給経路を介し、メイン電源部に電荷が貯められている。
【００４７】
（スタンバイ状態からの起動）
マイクロコンピューターは、オン／オフ制御信号を、ローにプルダウンする。バイポーラトランジスタＱ１は、べースの電位がローとなり、オンし、別負荷Ｒ４がスタンバイ電源３に接続されることで、スタンバイ電源３の負荷量が増加し、スタンバイ電源３の消費電力が増加する。なお、負荷量の増加は、ＩＣ等の起動やＩＣ等の消費電力増加による負荷増でも構わない。これにより、スタンバイ電源３（制御ＩＣ３２）は、二次側の消費に十分な電力を供給するために、周波数を高め、デューティーを増やす。言い換えれば、スタンバイ電源３において、動作モードは、バーストモードを脱し、スタンバイ電源３の出力インピーダンスが下がり、出力電圧が安定する。）。
【００４８】
同時に、オン／オフ制御信号がローとなることで、フォトカプラ４の発光ダイオードに電流が流れ、フォトトランジスタに電流を生じる。フォトトランジスタに流れる電流は、抵抗Ｒ５とコンテンサＣ５とによる遅延回路により遅延し、この遅延後、バイポーラトランジスタＱ２がオンする。このように、遅延回路は、マイクロコンピューターからバイポーラトランジスタＱ２への制御信号を遅延する。オン／オフ制御信号は、バイポーラトランジスタＱ１、Ｑ２のオン／オフを兼ねている。また、バイポーラトランジスタＱ２へのオン／オフ制御信号が遅延されることで、バイポーラトランジスタＱ１のオン後、バイポーラトランジスタＱ２がオンするので、メイン電源２の起動に十分な電力を供給する状態となってから、メイン電源２が起動する。バイポーラトランジスタＱ２がオンすると、制御ＩＣ２３へメイン電源部からの電力が供給される。なお、電圧の安定と出力インピーダンスの低減がなされているため、電力供給を行っても、電源電圧ＶＤＤｓｕｂは、即座に減衰しない。電力供給により、制御ＩＣ２３が起動し、スイッチング素子２２がスイッチング動作を開始する。これにより、ダイオードＤ１経由でのメイン電源３自身によるメイン電源部への電力供給が開始する。メイン電源２の電源電圧ＶＤＤｍａｉｎの自己供給が安定することで、通常動作に移行する。
【００４９】
（通常動作時）
メイン電源２の電源電圧ＶＤＤｍａｉｎは、スタンバイ電源３の電源電圧よりも、電圧値が高く設定されている。通常動作時、スタンバイ電源３からのメイン電源２への電力供給は行われない。
【００５０】
（通常動作からスタンバイ）
マイクロコンピューターは、プルダウンをオフすると、フォトカプラ４の入力電流が停止する。これに伴い、バイポーラトランジスタＱ２がオフし、電流が停止する。同時に、別負荷Ｒ４の接続も解除される。バイポーラトランジスタＱ２が、オフし、制御ＩＣ２３への電源電圧供給がなくなり、メイン電源２の動作（スイッチング）が停止る。これとともに、スタンバイ電源３の動作がバースト（省電力）モードに推移する。
【００５１】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００５２】
本発明は、電源装置に関する。
【符号の説明】
【００５３】
１  スイッチング電源（電源装置）
２  メイン電源（第１電源）
３  スタンバイ電源（第２電源）
【図１】
2020043743.tif 000003